(57)【要約】【課題】天井部分に吊り下げられる照明器具において、天井部分の下方領域と天井部分の下面の両方を効率的に照らすことができるようにすること。【解決手段】下端部に下部開口部１ｄを有する照明器具本体１と、照明器具本体１内に配置される笠状の反射板２と、反射板２内に配置される光源ランプ３とを備えた照明器具において、反射板２の上端部及びその上方の照明器具本体１にそれぞれ上部開口部２ａ，１ｃを設け、反射板２の上部開口部２ａと照明器具本体１の上部開口部１ｃとの間に、下方が頂点となる角錐状又は円錐状の反射体８を設けた。【選択図】図２
2009099460.tif 000002
【特許請求の範囲】
【請求項１】
下端部に下部開口部を有する照明器具本体と、照明器具本体内に配置される笠状の反射板と、反射板内に配置される光源ランプとを備えた照明器具において、
前記反射板の上端部及びその上方の照明器具本体にそれぞれ上部開口部を設け、前記反射板の上部開口部と前記照明器具本体の上部開口部との間に、下方が頂点となる角錐状又は円錐状の反射体を設けたことを特徴とする照明器具。
【請求項２】
前記照明器具本体の上部開口部を塞ぐ透明板又は透光性の着色板を着脱可能に設けた請求項１に記載の照明器具。
【請求項３】
前記照明器具本体の下部開口部の周縁に沿って透光性の着色板を着脱可能に設けた請求項１に記載の照明器具。
【請求項４】
照明器具本体の下部開口部を有する下側部分が、照明器具本体の上側部分に対して開閉可能に取り付けられている請求項１〜３のいずれかに記載の照明器具。
【発明の詳細な説明】
【技術分野】
【０００１】
本発明は照明器具に関し、とくにガソリンスタンド等の天井部分から吊り下げて使用される照明器具に関する。
【背景技術】
【０００２】
ガソリンスタンドを例に挙げて説明すると、ガソリンスタンドの屋根部分（キャノピイ）には、複数個の照明器具が適宜間隔で吊り下げられている。
【０００３】
このガソリンスタンドの照明器具は、キャノピイ下方の給油エリアを照らす役割を担うほか、とくに夜間において道路を通行中の車の運転者にガソリンスタンドの存在を知らしめるためにキャノピイの下面を照らす役割を担う。この両方の役割を果たすために、ガソリンスタンドの照明器具は裸の光源ランプで構成されることが多い。すなわち、裸の光源ランプによってキャノピイ下方の給油エリアを照らすとともに、キャノピイの下面も照らす。
【０００４】
しかし、このような裸の光源ランプによる照明器具では、光が四方八方に発散するため、所望の照度を得るためには照明器具の消費電力（ワット数）を増大させるか、あるいは照明器具の設置数を増やす必要がある。
【０００５】
これに対して、特許文献１には、給油エリアの計量機を集中的に照らすために反射体を設けることが開示されている。しかし、これでは計量機以外の部分、例えばキャノピイの下面を照らす光が不足する。したがって、上記両方の役割を果たすためには別途にキャノピイの下面を照らす照明器具が必要となる。
【特許文献１】特開平８−２８２８００号公報
【発明の開示】
【発明が解決しようとする課題】
【０００６】
本発明が解決しようとする課題は、天井部分に吊り下げられる照明器具において、天井部分の下方領域と天井部分の下面の両方を効率的に照らすことができるようにすることにある。
【課題を解決するための手段】
【０００７】
本発明は、下端部に下部開口部を有する照明器具本体と、照明器具本体内に配置される笠状の反射板と、反射板内に配置される光源ランプとを備えた照明器具において、前記反射板の上端部及びその上方の照明器具本体にそれぞれ上部開口部を設け、前記反射板の上部開口部と前記照明器具本体の上部開口部との間に、下方が頂点となる角錐状又は円錐状の反射体を設けたことを特徴とするものである。
【０００８】
このように、本発明の照明器具は、笠状の反射板とその上方に配置される角錐状又は円錐状の反射体とを備える。したがって、光源ランプからの光は、第一には主に笠状の反射板で下方に向けて反射され、この下方に反射された光は、照明器具本体の下部開口部を通過して照明器具が吊り下げられた天井部分の下方領域を効率的に照らす。
【０００９】
また、光源ランプからの光は、第二には主に角錐状又は円錐状の反射体で上方に向けて反射され、この上方に反射された光は、照明器具本体の上部開口部を通過して広く天井部分の下面を照らす。とくに、本発明では、角錐状又は円錐状の反射体を備えることで、単に笠状の反射板及び照明器具本体に上部開口部を設けた場合に比べ、天井部分の下面を広範囲にかつ効率的に照らすことができる。なお、本発明のように角錐状又は円錐状の反射体を設けずに、笠状の反射板及び照明器具本体の上部開口部を大きくすることによっても、ある程度、天井部分の下面を広く照らすことはできるが、角錐状又は円錐状の反射体によって人為的に光を反射させる場合に比べ、その光の到達範囲は狭くなる。また、笠状の反射板及び照明器具本体の上部開口部を大きくすると、そこから漏れる光が多くなり、相対的に下方を照らす光が不足するので、実用的でない。
【００１０】
本発明においては、照明器具本体の上部開口部を塞ぐ透明板又は透光性の着色板を着脱可能に設けることが好ましい。これによって、照明器具本体の上部開口部から雨水や塵芥が進入することを防止できる。また、透光性の着色板を設ければ、天井部分の下面を所望の色で照らすことができる。
【００１１】
また、前記照明器具本体の下部開口部の周縁に沿って透光性の着色板を着脱可能に設けてもよい。このように照明器具本体の下部開口部の周縁に沿って透光性の着色板を設けることで、天井部分の下方を所望の色を混ぜて照らすことができる。さらに、この照明器具本体の下部開口部の周縁近傍に設ける透光性の着色板、及び上述した照明器具本体の上部開口部を塞ぐ透光性の着色板は着脱可能であるので、その色は需用者の要求に応じて変えることができ、さらに透光性の着色板の透光度等を調整することにより、各種態様の照明を提供できる。
【００１２】
さらに、本発明においては、照明器具本体の下部開口部を有する下側部分と、その上に配置される照明器具本体の上側部分とを別体に形成し、蝶番機構等を介して照明器具本体の下側部分を上側部分に対して開閉可能に取り付けることができる。このような構成にすることで、照明器具をメンテナンスする際に照明器具本体の下側部分を開けることができるので、そのメンテナンス作業を容易に行うことができる。
【発明の効果】
【００１３】
本発明によれば、天井部分の下方領域と天井部分の下面の両方を効率的に照らすことができる。したがって、従来よりも小さい消費電力（ワット数）で、天井部分の下方領域と天井部分の下面の両方を所望の照度で照らすことができる。あるいは、従来と同じ消費電力（ワット数）であれは、照明器具の設置数を減らすことができ、省エネルギーに寄与できる。
【発明を実施するための最良の形態】
【００１４】
以下図面に示す実施例に基づき本発明の実施の形態を説明する。
【００１５】
図１は本発明に係る照明器具の一実施例を示す斜視図、図２は図１のＡ−Ａ断面図、図３は図１のＢ−Ｂ断面図、図４は底面図である。なお、図２以外の図１、図３及び図４においては光源ランプを省略して示している。
【００１６】
図面に示す照明器具は、その本体となる箱状の照明器具本体１を備え、この照明器具本体１内に笠状の反射板２が配置され、反射板２内に光源ランプ３が配置される。
【００１７】
照明器具本体１は、上側部分１ａと下側部分１ｂとから構成され、これらの上側部分１ａ及び下側部分１ｂは一方の側面の蝶番４によって開閉可能に連結されており、常時は他方の側面のクリップ部材５によって閉じた状態に保持される。
【００１８】
また、照明器具本体１の上端部には四画形状の上部開口部１ｃが設けられ、下端部には四角形状の下部開口部１ｄが設けられている。さらに、下部開口部１ｄの周縁近傍には、その周縁に沿ってホリカーボネイト製の透光性の着色板６が配置されている。一方、上部開口部１ｃは、ホリカーボネイト製の透明板又は透光性の着色板７によって塞がれている。なお、下部開口部１ｄもホリカーボネイト製の透明板又は透光性の着色板によって塞ぐようにしてもよい。
【００１９】
反射板２は全体として笠状に形成されており、その内面に鏡面状の反射面を有する。この笠状の反射板２には、その上端部に上方開口部２ａが設けられている。
【００２０】
本発明においては、反射板２に加えて反射体８を設ける。この反射体８は、反射板２の上部開口部２ａと照明器具本体１の上部開口部１ｃとの間に配置され、下方が頂点となる角錐状又は円錐状に形成される。反射体８の各側面は鏡面状に加工され、これが反射面となる。図示の実施例では反射体８を四角錐状に形成したが、三角錐状あるいは五角錐状であってもよい。また、反射体８は円錐状（底面が楕円の場合も含む。）に形成してもよい。要するに反射体８は下方の頂点部分に向けて間隔が狭くなる側面（反射面）を有するものであればよい。
【００２１】
以上の構成において、光源ランプ３からの光は、第一には主に笠状の反射板２で下方に向けて反射され、この下方に反射された光は、照明器具本体１の下部開口部１ｄを通過して照明器具が吊り下げられた天井部分の下方領域を効率的に照らす。また、光源ランプからの光は、第二には主に角錐状又は円錐状の反射体８で上方に向けて反射され、この上方に反射された光は、照明器具本体１の上部開口部１ｃを通過して広く天井部分の下面を照らす。これによって、天井部分の下方領域と天井部分の下面の両方を効率的に照らすことができる。
【産業上の利用可能性】
【００２２】
本発明の照明器具は、ガソリンスタンドの天井部分（キャノピイ）のほか、その他の屋内外の天井部分に吊り下げられる照明器具として広く利用できる。
【図面の簡単な説明】
【００２３】
【図１】本発明に係る照明器具の一実施例を示す斜視図である。
【図２】図１のＡ−Ａ断面図である。
【図３】図１のＢ−Ｂ断面図である。
【図４】図１に示す照明器具の底面図である。
【符号の説明】
【００２４】
１  照明器具本体
１ａ  上側部分
１ｂ  下側部分
１ｃ  上部開口部
１ｄ  下部開口部
２  反射板
２ａ  上部開口部
３  光源ランプ
４  蝶番
５  クリップ部材
６  透光性の着色板
７  透明板又は透光性の着色板
８  反射体
【図１】
2009099460.tif 000003
【図２】
2009099460.tif 000004
【図３】
2009099460.tif 000005
【図４】
2009099460.tif 000006